(57)【要約】【課題】  いわゆるバッチ式の運転動作を行う調湿装置において、床置きに適した装置の構成を得る。【解決手段】  調湿装置（10）の冷媒回路では、第１及び第２熱交換器（61,62）の表面に吸着材が担持されていて、四方切換弁を操作することで冷媒の循環方向が切り換え可能となっている。そして、調湿装置（10）は、上記四方切換弁と空気の流通経路を切り換える切換機構とを操作することにより、蒸発器となっている一方の熱交換器（61,62）で第１空気を除湿し、凝縮器となっている他方の熱交換器（61,62）で第２空気を加湿する。このような調湿装置（10）において、ケーシング（11）の内部空間（16）を第１仕切板（31）によって上下に区画して、その上部空間（17）内に上記熱交換器（61，62）を配置し、下部空間内には給気用ファン（25）及び排気用ファン（26）を配置する。【選択図】  図１
2005283044.tif 000002
【特許請求の範囲】
【請求項１】
第１空気及び第２空気を取り込み、除湿した第１空気または加湿した第２空気のいずれか一方を室内へ供給するとともに、他方を室外へ排出する調湿装置であって、
それぞれの表面に吸着材を担持する第１及び第２の熱交換器（61，62）が接続されて冷凍サイクルを行うとともに、冷媒の循環方向が反転可能に構成された冷媒回路（60）と、
内部に形成された空気通路内に上記熱交換器（61，62）が配設されるケーシング（11）と、
上記ケーシング（11）内の空気通路に配設される給気用ファン（25）及び排気用ファン（26）と、
上記熱交換器（61，62）のうち蒸発器になっている方を第１空気が通過し、凝縮器となっている方を第２空気が通過するように、上記ケーシング（11）内での空気の流通経路を上記冷媒回路（60）での冷媒循環方向に応じて切り換える切換機構とを備え、
上記ケーシング（11）は、箱状に形成されて立設されているとともに、その内部が上下に区画されており、その上部空間（17）内には上記第１及び第２の熱交換器（61，62）が配置されている一方、下部空間（18）内には上記給気用及び排気用ファン（25，26）が配置されていることを特徴とする調湿装置。
【請求項２】
請求項１において、
第１及び第２の熱交換器（61，62）は、それぞれケーシング（11）の前後方向に空気が通過するように該ケーシング（11）前方から見て左右または上下のいずれか一方に並んで配置されていることを特徴とする調湿装置。
【請求項３】
請求項１において、
冷媒回路（60）の圧縮機（63）は、ケーシング（11）の下部空間（18）内に配置されていることを特徴とする調湿装置。
【請求項４】
請求項３において、
圧縮機（63）は、給気用ファン（25）と排気用ファン（26）との間に配置されていることを特徴とする調湿装置。
【請求項５】
請求項１において、
熱交換器（61，62）の収容される上部空間（17）を形成する部分が本体部（92）を構成するとともに、給気用及び排気用ファン（25，26）の収容される下部空間（18）を形成する部分が機械室部（91）を構成し、
上記本体部（92）と機械室部（91）とが組み合わされて一体になることを特徴とする調湿装置。
【請求項６】
請求項５において、
本体部（92）は、熱交換器（61，62）の収容される熱交換室（41，42）を区画形成する熱交換室部（93）と、内部が該熱交換室（41，42）に連通して空気通路の一部を構成する空気チャンバ部（94）とが組み合わされて一体になったものであることを特徴とする調湿装置。
【請求項７】
請求項１において、
ファン（25，26）は、空気を回転軸方向から吸い込んで径方向に吹き出す多翼ファンであり、その吸込口（25a，26a）がケーシング（11）の前方または後方のいずれか一方に向かって開口するように配置されていることを特徴とする調湿装置。
【請求項８】
請求項１において、
ファン（25，26）は、空気を回転軸方向から吸い込んで径方向に吹き出す多翼ファンであり、その吸込口（25a，26a）がケーシング（11）の上方または下方のいずれか一方に向かって開口するように配置されていることを特徴とする調湿装置。
【請求項９】
請求項１において、
上部空間（17）は、少なくとも、第１及び第２の熱交換器（61，62）の収容される熱交換室（41，42）と、該熱交換室（41，42）へ室外及び室内の空気を導入するための流入空気チャンバ（43，45）とに区画されていて、
上記流入空気チャンバ（43，45）内には、フィルタ（81，82）が配設されていることを特徴とする調湿装置。
【請求項１０】
請求項１において、
熱交換器（61，62）の空気の通過する面に沿ってフィルタ（83，84，85，86）が配設されていることを特徴とする調湿装置。
【請求項１１】
請求項１０において、
熱交換器（61，62）は、ケーシング（111）の前方から後方に向かって空気が通過するように配設されていて、
フィルタ（183，184）は、上記熱交換器（61，62）の前面に沿って配置されていることを特徴とする調湿装置。
【請求項１２】
請求項１において、
冷媒回路（60）の圧縮機（63）がケーシング（11）の外に配置されていることを特徴とする調湿装置。
【請求項１３】
請求項１２において、
ケーシング（11）は、屋内に配置されている一方、圧縮機（63）は屋外に配置されていることを特徴とする調湿装置。
【請求項１４】
請求項１２において、
圧縮機（63）は、屋内の機械室に配置されていることを特徴とする調湿装置。
【請求項１５】
請求項１２から１４までのいずれか一つにおいて、
圧縮機（63）は、密閉容器状の圧縮機ケーシング（66）内に配置されていることを特徴とする調湿装置。
【発明の詳細な説明】
【技術分野】
【０００１】
本発明は、空気の湿度調節を行う調湿装置であって、いわゆるバッチ式の運転動作を行うものに関する。
【背景技術】
【０００２】
従来より、例えば特許文献１に開示されているように、吸着材と冷凍サイクルとを利用して空気の湿度調節を行う調湿装置が知られている。この調湿装置は、いわゆるバッチ式の運転動作を行うように構成されている。
【０００３】
上記調湿装置は、２つの吸着ユニットを備えている。各吸着ユニットは、吸着材が充填されたメッシュ容器と、このメッシュ容器を貫通する冷媒管とによって構成されている。各吸着ユニットの冷媒管は、冷凍サイクルを行う冷媒回路に接続されている。また、上記調湿装置には、各吸着ユニットへ送られる空気を切り換えるためのダンパが設けられている。
【０００４】
上記調湿装置の運転中には、冷媒回路の圧縮機が運転され、２つの吸着ユニットの一方が蒸発器となって他方が凝縮器となる冷凍サイクルが行われる。また、冷媒回路では、四方切換弁を操作することによって冷媒の循環方向が切り換わり、各吸着ユニットは交互に蒸発器として機能したり凝縮器として機能したりする。
【０００５】
上記調湿装置の加湿運転では、室外から室内へ向けて流れる給気を凝縮器となる吸着ユニットへ導き、吸着材から脱離した水分で給気を加湿する。その際、室内から室外へ向けて流れる排気を蒸発器となる吸着ユニットへ導き、排気中の水分を吸着材に回収する。一方、調湿装置の除湿運転では、室外から室内へ向けて流れる給気を蒸発器となる吸着ユニットへ導き、給気中の水分を吸着材に吸着させる。その際、室内から室外へ向けて流れる排気を凝縮器となる吸着ユニットへ導き、吸着材から脱離した水分を排気と共に室外へ排出する。
【０００６】
尚、上記吸着ユニットと同様の機能を有するものとしては、例えば特許文献２に開示されているような熱交換部材も知られている。この熱交換部材では、銅管の周囲に板状のフィンが設けられ、この銅管やフィンの表面に吸着材が担持されている。そして、この熱交換部材は、銅管内を流れる流体によって吸着材の加熱や冷却を行うように構成されている。
【０００７】
また、バッチ式の運転動作を行う調湿装置としては、例えば特許文献３に開示されたものも知られている。この調湿装置は、多数の空気通路が形成された吸着素子を２つ備えている。そして、第１の吸着素子で第１空気を除湿するときは、ヒートポンプの凝縮器で加熱した第２空気を第２の吸着素子へ送って吸着材を再生する。逆に、第２の吸着素子で第１空気を除湿するときは、加熱した第２空気を第１の吸着素子へ送って吸着材を再生する。この調湿装置は、上記の２つの動作を交互に繰り返し、除湿した第１空気又は加湿した第２空気を室内へ供給する。
【特許文献１】特開平８−１８９６６７号公報
【特許文献２】特開平７−２６５６４９号公報
【特許文献３】特開２００３−２８４５８号公報
【発明の開示】
【発明が解決しようとする課題】
【０００８】
ところで、ビル内のフロアのような広い空間を調湿する場合には、容量の大きい調湿装置を使用する必要があり、そのような大容量の装置でありながら、壁際や機械室内に設置可能なコンパクトな床置き型の調湿装置が望まれている。しかしながら、上述のような従来の調湿装置には床置き型のものはなく、当然のことながら、床置きに適したコンパクトな調湿装置の構成についても何ら考慮されていなかった。
【０００９】
本発明は、かかる点に鑑みてなされたものであり、その目的とするところは、いわゆるバッチ式の運転動作を行う調湿装置において、その内部の構成部品の配置に工夫を凝らして、床置きに適したコンパクトな調湿装置の構成を得ることにある。
【課題を解決するための手段】
【００１０】
前記目的を達成するために、本発明の解決手段では、ケーシング（11）の内部を上下に区画して、その上部空間（17）内に、表面に吸着材が担持された２つの熱交換器（61，62）を配置する一方、下部空間（18）内にファン（25，26）等を配置した。
【００１１】
具体的には、請求項１の発明では、第１空気及び第２空気を取り込み、除湿した第１空気または加湿した第２空気のいずれか一方を室内へ供給するとともに、他方を室外へ排出する調湿装置を対象とする。
【００１２】
そして、それぞれの表面に吸着材を担持する第１及び第２の熱交換器（61，62）が接続されて冷凍サイクルを行うとともに、冷媒の循環方向が反転可能に構成された冷媒回路（60）と、内部に形成された空気通路内に上記熱交換器（61，62）が配設されるケーシング（11）と、上記ケーシング（11）内の空気通路に配設される給気用ファン（25）及び排気用ファン（26）と、上記熱交換器（61，62）のうち蒸発器になっている方を第１空気が通過し、凝縮器となっている方を第２空気が通過するように、上記ケーシング内での空気の流通経路を上記冷媒回路（60）での冷媒循環方向に応じて切り換える切換機構とを備え、上記ケーシング（11）は、箱状に形成されて立設されているとともに、その内部が上下に区画されており、その上部空間（17）内には上記第１及び第２の熱交換器（61，62）が配置されている一方、下部空間（18）内には上記給気用及び排気用ファン（25，26）が配置されているものとする。
【００１３】
この構成により、表面に吸着材を担持した２つの熱交換器が接続された冷媒回路の冷媒循環方向の切り換えに応じて、ケーシング内の空気の流通経路を切り換えることで、第１空気を蒸発器として作用する上記熱交換器の一方に通過させて除湿し、第２空気を凝縮器として作用する上記熱交換器の他方に通過させて加湿する調湿装置を実現することができるとともに、例えば、フロアや機械室の床面上に立設されたケーシング内部を上下に分割して、その上部空間内に上記熱交換器を配置し、下部空間内にファン等を配置することで、床置き型の調湿装置の構成を得ることができる。
【００１４】
そして、上述のように、熱交換器（61，62）及びファン（25，26）をケーシング（11）内の上下に配置することで、ケーシング（11）内の左右または前後に配置する場合に比べて、装置の奥行き寸法または幅寸法を比較的、小さくすることができる。
【００１５】
したがって、壁際や機械室などのように設置スペースに制約のある場所にも床置き可能な調湿装置を得ることができる。
【００１６】
上述の構成において、第１及び第２の熱交換器（61，62）は、それぞれケーシング（11）の前後方向に空気が通過するように該ケーシング（11）前方から見て左右または上下のいずれか一方に並んで配置されているのが好ましい（請求項２の発明）。こうすれば、２つの熱交換器（61，62）は、その厚み分だけケーシング（11）の奥行き方向にスペースがあれば配置可能であり、ケーシング（11）の奥行き寸法を小さくすることができる。
【００１７】
また、冷媒回路（60）の圧縮機（63）は、ケーシング（11）の下部空間（18）内に配置されているのが好ましい（請求項３の発明）。より好ましくは、圧縮機（63）は、給気用ファン（25）と排気用ファン（26）との間に配置されている（請求項４の発明）。こうすることで、圧縮機（63）をケーシング（11）内に配置する場合でも、該ケーシング（11）の下部空間（18）を有効利用して圧縮機（63）をコンパクトに配置することができる。
【００１８】
ところで、調湿装置を床置き型にした場合、装置全体が比較的、大型になるため、例えば、ビル内に設置しようとする際などには、エレベータや搬入口等の大きさによって、搬入作業が困難になる場合も生じ得る。そのため、調湿装置は、熱交換器（61，62）の収容される上部空間（17）を形成する部分が本体部（92）を構成するとともに、給気用及び排気用ファン（25，26）の収容される下部空間（18）を形成する部分が機械室部（91）を構成し、上記本体部（92）と機械室部（91）とが組み合わされて一体になるものとする（請求項５の発明）。
【００１９】
これにより、調湿装置を上部の本体部（92）と下部の機械室部（91）とに分割して搬送することが可能になり、エレベータや搬入口等の大きさに制約を受けることなく容易に建物内に搬入することができる。また、設置工事の際には、ユニット化された各部を組み合わせることによって一体の調湿装置とすることができるため、部品から組み立てる場合に比べて設置工事が比較的、容易になる。
【００２０】
特に、本体部（92）は、熱交換器（61，62）の収容される熱交換室（41，42）を区画形成する熱交換室部（93）と、内部が該熱交換室（41，42）に連通して空気通路の一部を構成する空気チャンバ部（94）とが組み合わされて一体になったものであるのが好ましい（請求項６の発明）。このように、本体部（92）を熱交換室部（93）と空気チャンバ部（94）とを組み合わせて構成することで、搬入時には、本体部（92）をさらに小さいユニットにして搬送できるため、搬入作業がより容易になる。
【００２１】
さらに、上述の構成において、ファン（25，26）は、空気を回転軸方向から吸い込んで径方向に吹き出す多翼ファンであり、その吸込口（25a，26a）がケーシング（11）の前方または後方のいずれか一方に向かって開口するように配置されているのが好ましい（請求項７の発明）。こうすれば、厚み方向よりも径方向に大きい多翼ファンであっても、その厚み方向をケーシング（11）の前後方向、すなわち奥行き方向に向けて設置することで、ケーシング（11）の奥行き寸法を大きくすることなく、コンパクトにファン（25，26）を設置することが可能になる。
【００２２】
一方、上述のような多翼ファンの場合、ファン（25，26）の吸込口（25a，26a）がケーシング（11）の上方または下方のいずれか一方に向かって開口するように配置してもよい（請求項８の発明）。こうすれば、ファン（25，26）は調湿装置のケーシング（11）内に横に寝かされて安定した状態で設置されるため、ファン（25，26）自身によって生じる振動を低く抑えることができる。
【００２３】
また、上述の構成において、上部空間（17）は、少なくとも、第１及び第２の熱交換器（61，62）の収容される熱交換室（41，42）と、該熱交換室（41，42）へ室外及び室内の空気を導入するための流入空気チャンバ（43，45）とに区画されていて、上記流入空気チャンバ（43，45）内には、フィルタ（81，82）が配設されている（請求項９の発明）ものとする。このように、フィルタ（81，82）を設けることによって、室外からの砂塵等が室内に入るのを防止できるとともに、室内外からの埃等が熱交換器（61，62）に付着するのを防止することができる。そして、このように、熱交換室（41，42）の上流側に位置するケーシング（11）の流入空気チャンバ（43，45）内にフィルタ（81，82）を配置することで、室外及び室内から熱交換室（41，42）へ流入する空気中の砂塵等を効率よく集塵することができる。
【００２４】
一方で、熱交換器（61，62）の空気の通過する面に沿ってフィルタ（83，84，85，86）が配設されていてもよい（請求項１０の発明）。こうすれば、空気が通過するフィルタの面積（83，84，85，86）が大きくなり、該フィルタ（83，84，85，86）での圧損を小さくすることができる。また、熱交換器（61，62）は、ケーシング（111）の前方から後方に向かって空気が通過するように配設されていて、フィルタ（183，184）は、上記熱交換器（61，62）の前面に沿って配置されている（請求項１１の発明）のが好ましい。このようにフィルタ（183，184）を熱交換器（61，62）のケーシング（111）前方側に配設することで、該フィルタ（183，184）の清掃作業等がケーシング（111）前面から容易に行えるようになり、メンテナンス性を向上することができる。
【００２５】
さらに、上述の構成において、冷媒回路（60）の圧縮機（63）はケーシング（11）の外に配置されている（請求項１２の発明）のが好ましい。そして、より好ましくは、ケーシング（11）は、屋内に配置されている一方、圧縮機（63）は屋外に配置されている（請求項１３の発明）ものとする。また、上述のように、圧縮機（63）を調湿装置の本体とは別置きにする場合、圧縮機（63）は、屋内の機械室に配置されている（請求項１４の発明）のが好ましい。このように、運転時に騒音源となる圧縮機（63）を調湿装置のケーシング（11）外に設置することで、調湿装置本体の騒音を低減することができる。しかも、調湿装置の本体ケーシング（11）を屋内に配置して、圧縮機（63）を屋外に配置するか、もしくは圧縮機（63）を屋内の機械室に設置すれば、調湿装置の配置される屋内での騒音を大幅に低減することができ、より効果的である。
【００２６】
また、圧縮機（63）別置きの場合には、圧縮機（63）は、密閉容器状の圧縮機ケーシング（66）内に配置されている（請求項１５の発明）のが好ましい。こうすれば、圧縮機（63）から生じる騒音は圧縮機ケーシング（66）によって遮断され、圧縮機（63）の騒音をさらに効果的に低減することができる。
【発明の効果】
【００２７】
請求項１の発明に係る調湿装置によれば、ケーシング（11）内部を上下に区画してその上部空間（17）内に熱交換器（61，62）を配置する一方、下部空間（18）内にはファン（25，26）を配置することで、大容量且つコンパクトな床置き型の調湿装置の構成を実現することができる。
【００２８】
請求項２の発明によれば、熱交換器（61，62）は、ケーシング（11）の前後方向に空気が通過するように並んで配置されるため、装置の奥行き寸法を小さくすることができる。
【００２９】
請求項３及び４の発明によれば、冷媒回路（60）の圧縮機（63）はケーシング（11）の下部空間（17）内で、給気ファン（25）と排気ファン（26）との間に配置されるため、圧縮機（63）をケーシング（11）内に配置する場合でも装置全体を大きくすることなく圧縮機（63）を配置できる。
【００３０】
請求項５及び６の発明によれば、本体部（92）と機械室部（91）とが組み合わされて一体の調湿装置になるようにしたため、搬入作業が容易になり、設置工事を比較的、容易に行うことができるようになる。さらに、本体部（92）を熱交換室部（93）と空気チャンバ部（94）とに分けることで、設置工事の際の搬入作業がより容易になる。
【００３１】
請求項７の発明によれば、径方向に大きい多翼ファン（25，26）をケーシング（11）前方から見て横向きに立設したため、ファン（25，26）がケーシング（11）前後方向に大きく突出することなく、装置全体の奥行き寸法を小さくすることができる。
【００３２】
請求項８の発明によれば、多翼ファン（25，26）を横に寝かせて、安定した状態でケーシング（11）内に配置したため、ファン（25，26）による振動を生じにくくすることができる。
【００３３】
請求項９の発明によれば、熱交換室（41，42）に室外及び室内の空気を導入するための流入空気チャンバ（43，45）内にフィルタ（81，82）を配設したので、室外及び室内からの砂塵等を効率良く集塵することができ、熱交換器（61，62）を確実に保護することができる。
【００３４】
請求項１０及び１１の発明によれば、熱交換器（61，62）の空気の通過する面に沿ってフィルタ（83，84，85，86）を設けたので、該フィルタ（83，84，85，86）を空気が通過する際の圧損を小さくすることができる。さらに、熱交換器（61，62）をケーシング（111）前方から後方に向かって空気が流れる場合、フィルタ（183，184）を該熱交換器（61，62）の前面側に設けることで、フィルタ（183，184）清掃等のメンテナンス性を向上することができる。
【００３５】
請求項１２乃至１５の発明によれば、冷媒回路（60）の圧縮機（63）をケーシング（11）とは別置きにしたので、調湿装置本体からの騒音を低減することができる。そして、圧縮機（63）を屋外に設置するか、もしくは機械室内に配置することで、調湿装置本体の設置される屋内の騒音を効果的に低減することができる。さらに、圧縮機（63）を圧縮機ケーシング（66）によって覆うことでより効果的に騒音を低減することができる。
【発明を実施するための最良の形態】
【００３６】
（実施形態１）
以下、本発明の実施形態１を図面に基づいて詳細に説明する。尚、以下の好ましい実施形態の説明は、本質的に例示に過ぎず、本発明、その適用物或いはその用途を制限することを意図するものではない。
【００３７】
図１に示すように、本実施形態の調湿装置（10）は、室内空気の除湿と加湿とを行う床置き型の装置であり、箱状のケーシング（11）を備えている。尚、図１(Ｂ)は、調湿装置（10）の正面図である。また、以下の説明における「右」「左」は、何れも参照する図面におけるものを意味する。
【００３８】
上記ケーシング（11）内には、冷媒回路（60）等が収納されている。この冷媒回路（60）は、第１熱交換器（61）、第２熱交換器（62）、圧縮機（63）、四方切換弁（64）、及び電動膨張弁（65）が設けられた閉回路であって、冷媒が充填されている。冷媒回路（60）では、充填された冷媒を循環させることにより蒸気圧縮式の冷凍サイクルが行われる。尚、冷媒回路（60）の詳細については後述する。
【００３９】
上記ケーシング（11）は、正面視が概ね長方形状で扁平な箱型に形成されている。上記ケーシング（11）の上面板（12）には、その左側面板（15）寄りに室外空気吸込口（21）が形成され、その右側面板（14）寄りに室内空気吸込口（22）が形成されている。一方、ケーシング（11）の左側面板（15）及び右側面板（14）には、それぞれ、底面板（13）寄りに排気吹出口（23）及び給気吹出口（24）が形成されている。
【００４０】
上記ケーシング（11）の内部には、上下方向の中心部よりも底面板（13）寄りに第１仕切板（31）が設けられていて、ケーシング（11）の内部空間（16）は、この第１仕切板（31）によって、上下に仕切られている。そして、第１仕切板（31）の上側が上部空間（17）となり、第１仕切板（31）の下側が下部空間（18）となっている。
【００４１】
上記ケーシング（11）の下部空間（18）には、第５仕切板（35）が設けられている。この第５仕切板（35）は、下部空間（18）の奥行き方向の中央部を縦断するように設けられ、この下部空間（18）を前後に仕切っている。そして、第５仕切板（35）の後側の空間が第１流出路（44）を構成し、前側の空間が第２流出路（46）を構成している。
【００４２】
また、上記下部空間（18）の第２流出路（46）内には、冷媒回路（60）の圧縮機（63）が配置されていて、図１には図示しないが、冷媒回路（60）の電動膨張弁（65）や四方切換弁（64）も下部空間（18）内に配置されている。更に、この下部空間（18）の第１流出路（44）内には給気用ファン（25）が収納されていて、第２流出路（46）内には、排気ファン（26）が収納されている。この給気ファン（25）及び排気ファン（26）は、回転軸方向に向かって開口する吸込口（25a，26a）から空気を吸い込み、その吸い込んだ空気を径方向に吹き出すシロッコファンであり、該吸込口（25a，26a）が、それぞれ、上記第５仕切板（35）に形成された穴部を介して第２流出路（46）及び第１流出路（44）内に向かって開口するように配置されている。つまり、排気ファン（26）は、ケーシング（11）の後方に向かって吸込口（26a）が開口し、給気ファン（25）は、ケーシング（11）の前方に向かって吸込口（25a）が開口するように、それぞれ立設されている。
【００４３】
また、上記ファン（25，26）は、その厚み方向の寸法よりも径方向の寸法の方が大きくなっており、上述のように、回転軸方向に向かって開口する吸込口（25a，26a）をケーシング（11）の前後方向に向けて、すなわち図１（Ｂ）に示すようにケーシング（11）前方から見て横向きにファンを立設することで、ファン設置のために必要なケーシング（11）の奥行き寸法を小さくすることができる。なお、本実施形態では、排気ファン（26）及び給気ファン（25）として、シロッコファンを用いているが、この限りではなく、幅方向の寸法よりも径方向の寸法の方が大きい多翼ファンであればどのようなファンを用いても良い。
【００４４】
そして、上記排気ファン（26）及び給気ファン（25）は、それぞれ、排気吹出口（23）及び給気吹出口（24）に接続されていて、これにより、上記第１流出路（44）は、排気ファン（26）を介して排気吹出口（23）に連通し、上記第２流出路（46）は、給気ファン（25）を介して給気吹出口（24）に連通している。
【００４５】
ここで、上記ケーシング（11）の下部空間（18）に配置される圧縮機（63）は、該空間（18）の有効利用という観点から、図１（Ｂ）に示すように、ケーシング（11）前方から見て上記排気ファン（26）と給気ファン（25）との間に位置するように配置するのが好ましい。
【００４６】
上記ケーシング（11）の上部空間（17）には、第２仕切板（32）と第３仕切板（33）とが設けられている。第２仕切板（32）は、上部空間（17）を上下２つの空間に仕切るように上面板（12）寄りに設けられていて、第３仕切板（33）は、第２仕切板（32）と第１仕切板（31）とに挟まれた空間内で、上部空間（17）の左右幅方向の中央に配設されている。すなわち、第２仕切板（32）と第１仕切板（31）とに挟まれた空間は、第３仕切板（33）によって左右に仕切られている。このうち、左側の空間は、第１熱交換室（41）を構成しており、その内部に第１熱交換器（61）が配置されている。一方、右側の空間は、第２熱交換室（42）を構成しており、その内部に第２熱交換器（62）が配置されている。
【００４７】
第１，第２熱交換器（61,62）は、それぞれ、全体として厚肉の直方体形状に形成されていて、空気がケーシング（11）の前後方向に通過するとともに、長手方向がケーシング（11）の上下方向になるように、第１熱交換室（41）及び第２熱交換室（42）内に設置されている。尚、第１，第２熱交換器（61,62）の詳細については後述する。
【００４８】
上記上部空間（17）のうち第２仕切板（32）とケーシング（11）の上面板（12）とに挟まれた空間内には、その空間の奥行き方向の中央部を縦断するように第４仕切板（34）が設けられていて、空間を前後に仕切るようになっている（図１(Ａ)を参照）。そして、第４仕切板（34）の前側の空間が第１流入路（43）を構成し、後側の空間が第２流入路（45）を構成していて、第１流入路（43）は室内空気吸込口（22）に連通し、第２流入路（45）は室外空気吸込口（21）に連通している。
【００４９】
詳しくは後述するが、この第１流入路（43）及び第２流入路（45）は、それぞれ、室内空気吸込口（22）及び室外空気吸込口（21）から送り込まれる室内外の空気を第１熱交換室（41）及び第２熱交換室（42）に導入する流入空気チャンバになっている。
【００５０】
そして、上記第１流入路（43）及び第２流入路（45）内には、それぞれ、図１及び図２に示すように、室外及び室内からの砂塵等を集塵するためのフィルタ（81，82）が配設されている。このフィルタ（81，82）は、平面視で略長方形状に形成されたもので、第１流入路（43）及び第２流入路（45）内に、ケーシング（11）側方から見て第４仕切板（34）に対して斜めになるように立設されている（図２を参照）。このように、室外及び室内の空気をそれぞれ第１及び第２熱交換室（41，42）に導入するための第１及び第２流入路（43，45）内にフィルタ（81，82）を配設することで、室外及び室内からの砂塵等を効率良く除去することができ、第１及び第２熱交換器（61，62）を確実に保護することができる。
【００５１】
上記第２仕切板（32）には、４つの開口（51,52,53,54）が形成されている（図１(Ａ)を参照）。第２仕切板（32）の左上部に形成された第１開口（51）は、第１熱交換室（41）における第１熱交換器（61）の前側を第１流入路（43）と連通させている。第２仕切板（32）の右上部に形成された第２開口（52）は、第２熱交換室（42）における第２熱交換器（62）の前側を第１流入路（43）と連通させている。第２仕切板（32）の左下部に形成された第３開口（53）は、第１熱交換室（41）における第１熱交換器（61）の後側を第２流入路（45）と連通させている。第２仕切板（32）の右下部に形成された第４開口（54）は、第２熱交換室（42）における第２熱交換器（62）の後側を第２流入路（45）と連通させている。
【００５２】
一方、上記上部空間（17）と下部空間（18）とを上下に区画する第１仕切板（31）にも、４つの開口（55,56,57,58）が形成されている（図１(Ｃ)を参照）。第１仕切板（31）の左上部に形成された第５開口（55）は、第１熱交換室（41）における第１熱交換器（61）の前側を第２流出路（46）と連通させている。第１仕切板（31）の右上部に形成された第６開口（56）は、第２熱交換室（42）における第２熱交換器（62）の前側を第２流出路（46）と連通させている。第１仕切板（31）の左下部に形成された第７開口（57）は、第１熱交換室（41）における第１熱交換器（61）の後側を第１流出路（44）と連通させている。第１仕切板（31）の右下部に形成された第８開口（58）は、第２熱交換室（42）における第２熱交換器（62）の後側を第１流出路（44）と連通させている。
【００５３】
上記第２仕切板（32）の各開口（51,52,53,54）、及び第１仕切板（31）の各開口（55,56,57,58）は、それぞれが開閉自在のダンパ（図示省略）を備えている。これらの各開口（51,…,55,…）は、ダンパを開閉することによって開口状態と閉鎖状態とに切り換わる。そして、各開口（51,…,55,…）に設けられたダンパは、ケーシング（11）内での第１空気及び第２空気の流通経路を切り換える切換機構を構成している。
【００５４】
ところで、上述のような構成を有する床置き型の調湿装置（10）の場合、装置全体が大型化するため、装置設置時の搬入の際には、エレベータや搬入口の大きさによって制限を受けて、スムーズに搬入作業を行えない可能性もある。そのため、図１２に示すように、調湿装置（10）全体を分割可能な構造にするのが好ましい。
【００５５】
具体的には、調湿装置（10）は、ケーシング（11）の内部を上下に区画する第１仕切板（31）で上下に分割されて、ファン等の収納される下部空間（18）を形成する機械室部（91）と、熱交換器（61，62）の収容される上部空間（17）を形成する本体部（92）とに分けられているとともに、この本体部（92）がさらに第２仕切板（32）で上下に分割されて、熱交換室（41，42）を形成する熱交換室部（93）と空気チャンバ部（94）とに分けられている。
【００５６】
より詳しくは、ケーシング（11）は、左側面板（15）及び右側面板（14）が第１仕切板（31）及び第２仕切板（32）で上下方向に３つに分割されている。そして、ケーシング（11）の下側部分に、圧縮機（63）、給気用ファン（25）及び排気用ファン（26）、第５仕切板（35）が配置された状態でユニット化されたものが機械室部（91）であり、内部に熱交換室（41，42）が区画形成されるケーシング（11）の中央部分に、熱交換器（61，62）が収納された状態でユニット化されたものが熱交換室部（93）である。なお、この熱交換室部（93）には、第１仕切板（31）及び第２仕切板（32）に形成された各開口（51,…,55,…）の開閉状態を切り換えるダンパも含まれている。
【００５７】
また、ケーシング（11）の上側部分に第４仕切板（34）及びフィルタ（81，82）が配置された状態でユニット化されたものが空気チャンバ部（94）になっている。
【００５８】
そして、上述のように構成される３つのユニット（機械室部（91）、熱交換室部（93）、空気チャンバ部（94））は、ボルト締結等で容易に組み立てることができるようになっていて、別々に設置スペースに搬入された後、組み立てられて一体の調湿装置（10）となる。これにより、装置搬入時にエレベータや搬入口等の大きさによって制限されることなく、容易に搬入作業を行うことができる。
【００５９】
次に、上記冷媒回路（60）について、図３を参照しながら説明する。
【００６０】
上記圧縮機（63）は、その吐出側が四方切換弁（64）の第１のポートに接続され、その吸入側が四方切換弁（64）の第２のポートに接続されている。第１熱交換器（61）の一端は、四方切換弁（64）の第３のポートに接続されている。第１熱交換器（61）の他端は、電動膨張弁（65）を介して第２熱交換器（62）の一端に接続されている。第２熱交換器（62）の他端は、四方切換弁（64）の第４のポートに接続されている。
【００６１】
上記圧縮機（63）は、いわゆる全密閉型に構成されている。図示しないが、この圧縮機（63）の電動機には、インバータを介して電力が供給されている。このインバータの出力周波数を変更すると、上記電動機の回転速度が変化し、それに伴って圧縮機（63）の押しのけ容積が変化する。つまり、上記圧縮機（63）は、その容量が可変に構成されている。
【００６２】
上記第１及び第２熱交換器（61,62）は、何れも、伝熱管と多数のフィンとを備えた、いわゆるクロスフィン型のフィン・アンド・チューブ熱交換器により構成されている。また、第１及び第２熱交換器（61,62）の外表面には、その概ね全面に亘り、例えばゼオライト等の吸着材が担持されている。そして、第１熱交換器（61）が第１吸着ユニットを構成し、第２熱交換器（62）が第２吸着ユニットを構成している。
【００６３】
上記四方切換弁（64）は、第１のポートと第３のポートが連通して第２のポートと第４のポートが連通する状態（図３(Ａ)に示す状態）と、第１のポートと第４のポートが連通して第２のポートと第３のポートが連通する状態（図３(Ｂ)に示す状態）とに切り換え自在に構成されている。そして、冷媒回路（60）は、この四方切換弁（64）を切り換えることにより、第１熱交換器（61）が凝縮器として機能して第２熱交換器（62）が蒸発器として機能する第１冷凍サイクル動作と、第１熱交換器（61）が蒸発器として機能して第２熱交換器（62）が凝縮器として機能する第２冷凍サイクル動作とを切り換えて行うように構成されている。
【００６４】
−調湿装置の調湿動作−
上記調湿装置（10）の調湿動作について説明する。この調湿装置（10）では、換気除湿運転と換気加湿運転とが切り換え可能になっている。また、上記調湿装置（10）において、上記の各運転中は第１動作と第２動作とが所定の切換時間間隔で交互に繰り返される。
【００６５】
《換気除湿運転》
換気除湿運転時において、調湿装置（10）では、給気ファン（25）及び排気ファン（26）の運転により、室外空気（OA）を第１空気として取り込んで室内に供給する一方、室内空気（RA）を第２空気として取り込んで室外に排出する。
【００６６】
まず、換気除湿運転時の第１動作について、図３〜図５を参照しながら説明する。この第１動作では、第１熱交換器（61）において吸着材の再生が行われ、第２熱交換器（62）において第１空気である室外空気（OA）の除湿が行われる。
【００６７】
第１動作時において、冷媒回路（60）では、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【００６８】
具体的に、圧縮機（63）から吐出された冷媒は、第１熱交換器（61）で放熱して凝縮し、その後に電動膨張弁（65）へ送られて減圧される。減圧された冷媒は、第２熱交換器（62）で吸熱して蒸発し、その後に圧縮機（63）へ吸入されて圧縮される。そして、圧縮された冷媒は、再び圧縮機（63）から吐出される。
【００６９】
また、第１動作時において、切換機構を構成する各開口（51,…,55,…）のダンパは、換気除湿運転時の第１流通状態に設定される。これにより、第２開口（52）と第３開口（53）と第５開口（55）と第８開口（58）とが閉鎖状態になり、第１開口（51）と第４開口（54）と第６開口（56）と第７開口（57）とが開口状態になる。そして、図４及び図５に示すように、第１熱交換器（61）へ第２空気としての室内空気（RA）が供給され、第２熱交換器（62）へ第１空気としての室外空気（OA）が供給される。
【００７０】
具体的に、室内空気吸込口（22）より流入した第２空気は、第１流入路（43）から第１開口（51）を通って第１熱交換室（41）へ送り込まれる。第１熱交換室（41）では、第２空気が第１熱交換器（61）を前から後へ向かって通過してゆく。第１熱交換器（61）では、外表面に担持された吸着材が冷媒により加熱され、この吸着材から水分が脱離する。吸着材から脱離した水分は、第１熱交換器（61）を通過する第２空気に付与される。第１熱交換器（61）で水分を付与された第２空気は、第１熱交換室（41）から第７開口（57）を通って第１流出路（44）へ流出する。その後、第２空気は、排気ファン（26）へ吸い込まれ、排気吹出口（23）から排出空気（EA）として室外へ排出される。
【００７１】
一方、室外空気吸込口（21）より流入した第１空気は、第２流入路（45）から第４開口（54）を通って第２熱交換室（42）へ送り込まれる。第２熱交換室（42）では、第１空気が第２熱交換器（62）を後から前へ向かって通過してゆく。第２熱交換器（62）では、その表面に担持された吸着材に第１空気中の水分が吸着される。その際に生じる吸着熱は、冷媒が吸熱する。第２熱交換器（62）で除湿された第１空気は、第２熱交換室（42）から第６開口（56）を通って第２流出路（46）へ流出する。その後、第１空気は、給気ファン（25）へ吸い込まれ、給気吹出口（24）から供給空気（SA）として室内へ供給される。
【００７２】
次に、換気除湿運転時の第２動作について、図３、図６及び図７を参照しながら説明する。この第２動作では、第２熱交換器（62）において吸着材の再生が行われ、第１熱交換器（61）において第１空気である室外空気（OA）の除湿が行われる。
【００７３】
第２動作時において、冷媒回路（60）では、四方切換弁（64）が図３(Ｂ)に示す状態に切り換えられる。この状態で圧縮機（63）を運転すると、冷媒回路（60）で冷媒が循環し、第１熱交換器（61）が蒸発器となって第２熱交換器（62）が凝縮器となる第２冷凍サイクル動作が行われる。
【００７４】
具体的に、圧縮機（63）から吐出された冷媒は、第２熱交換器（62）で放熱して凝縮し、その後に電動膨張弁（65）へ送られて減圧される。減圧された冷媒は、第１熱交換器（61）で吸熱して蒸発し、その後に圧縮機（63）へ吸入されて圧縮される。そして、圧縮された冷媒は、再び圧縮機（63）から吐出される。
【００７５】
また、第２動作時において、切換機構を構成する各開口（51,…,55,…）のダンパは、換気除湿運転時の第２流通状態に設定される。これにより、第１開口（51）と第４開口（54）と第６開口（56）と第７開口（57）とが閉鎖状態となり、第２開口（52）と第３開口（53）と第５開口（55）と第８開口（58）とが開口状態となる。そして、図６及び図７に示すように、第１熱交換器（61）へ第１空気としての室外空気（OA）が供給され、第２熱交換器（62）へ第２空気としての室内空気（RA）が供給される。
【００７６】
具体的に、室内空気吸込口（22）より流入した第２空気は、第１流入路（43）から第２開口（52）を通って第２熱交換室（42）へ送り込まれる。第２熱交換室（42）では、第２空気が第２熱交換器（62）を前から後へ向かって通過してゆく。第２熱交換器（62）では、外表面に担持された吸着材が冷媒により加熱され、この吸着材から水分が脱離する。吸着材から脱離した水分は、第２熱交換器（62）を通過する第２空気に付与される。第２熱交換器（62）で水分を付与された第２空気は、第２熱交換室（42）から第８開口（58）を通って第１流出路（44）へ流出する。その後、第２空気は、排気ファン（26）へ吸い込まれ、排気吹出口（23）から排出空気（EA）として室外へ排出される。
【００７７】
一方、室外空気吸込口（21）より流入した第１空気は、第２流入路（45）から第３開口（53）を通って第１熱交換室（41）へ送り込まれる。第１熱交換室（41）では、第１空気が第１熱交換器（61）を後から前へ向かって通過してゆく。第１熱交換器（61）では、その表面に担持された吸着材に第１空気中の水分が吸着される。その際に生じる吸着熱は、冷媒が吸熱する。第１熱交換器（61）で除湿された第１空気は、第１熱交換室（41）から第５開口（55）を通って第２流出路（46）へ流出する。その後、第１空気は、給気ファン（25）へ吸い込まれ、給気吹出口（24）から供給空気（SA）として室内へ供給される。
【００７８】
《換気加湿運転》
換気加湿運転時の場合は、上記換気除湿運転時の第１動作及び第２動作における空気の流れが、それぞれ、換気加湿運転時の第２動作及び第１動作における空気の流れになるだけなので、以下で概略のみを説明する。
【００７９】
換気加湿運転時において、調湿装置（10）は、給気ファン（25）及び排気ファン（26）の運転によって、室内空気（RA）を除湿される第１空気として取り込んで室外に排出する一方、室外空気（OA）を加湿される第２空気として取り込んで室内に供給する。
【００８０】
この換気加湿運転時の第１動作では、図８及び図９に示すように、第１熱交換器（61）において第２空気である室外空気（OA）の加湿が行われ、第２熱交換器（62）において第１空気である室内空気（RA）から水分の回収が行われる。
【００８１】
具体的には、この第１動作時において、冷媒回路（60）では、上記換気除湿運転時の第１動作と同様に、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【００８２】
そして、この場合の空気の流れは、凝縮器である第１熱交換器（61）に室外空気（OA）を通過させる一方、蒸発器である第２熱交換器（62）に室内空気（RA）を通過させる、という上記換気除湿運転時における第２動作の第２流通状態に設定されている。
【００８３】
次に、換気加湿運転時の第２動作では、図１０及び図１１に示すように、第２熱交換器（62）において第２空気である室外空気（OA）の加湿が行われ、第１熱交換器（61）において第１空気である室内空気（RA）から水分の回収が行われる。
【００８４】
具体的には、この第２動作時において、冷媒回路（60）では、上記換気除湿運転時の第２動作と同様に、四方切換弁（64）が図３(Ｂ)に示す状態に切り換えられる。この状態で圧縮機（63）を運転すると、冷媒回路（60）で冷媒が循環し、第１熱交換器（61）が蒸発器となって第２熱交換器（62）が凝縮器となる第２冷凍サイクル動作が行われる。
【００８５】
そして、この場合の空気の流れは、蒸発器である第１熱交換器（61）に室内空気（RA）を通過させる一方、凝縮器である第２熱交換器（62）に室外空気（OA）を通過させる、という上記換気除湿運転時における第１動作の第１流通状態に設定されている。
【００８６】
−実施形態１の効果−
ケーシング（11）の内部を上下に区画して、その上部空間（17）内に熱交換器（61，62）を配置し、下部空間（18）内にファン（25，26）及び圧縮機（63）を配置することで、床置き型の調湿装置（10）を実現することができる。そして、空気の通過する面がケーシングの前後方向を向くように、すなわち略直方体形状の熱交換器（61，62）の長手方向が、それぞれ、ケーシング（11）の上下方向になるように２つの熱交換器（61，62）を左右に並べて配置することで、該ケーシング（11）の奥行き方向には大きく突出することなく、装置全体の奥行き寸法を小さくすることができる。このような構成にすれば、例えば、設置スペースの奥行き方向に制限がある壁際や機械室内等にも調湿装置（10）をコンパクトに設置することが可能になる。
【００８７】
また、厚み方向の寸法よりも径方向の寸法が大きいファン（25，26）を、吸込口（25a，26a）がケーシング（11）の前後方向に向かって開口するように、すなわちケーシング（11）前方から見て横向きになるように立設したため、ファン（25，26）もケーシング（11）の奥行き方向に大きく突出することなく、ケーシング（11）の奥行き寸法を小さくすることができる。
【００８８】
また、圧縮機（63）を下部空間（18）内の２つのファン（25，26）の間に配置することで、下部空間（18）内を有効利用して圧縮機（63）をよりコンパクトに配置することができ、装置全体のコンパクト化を図ることができる。
【００８９】
また、熱交換室（41，42）に室内外の空気を導入するための第１流入路（43）及び第２流入路（45）内に、それぞれ、フィルタ（81，82）を設けたので、集塵効果を高めることができ、熱交換器（61，62）を確実に保護することができる。
【００９０】
さらに、調湿装置（10）を、機械室部（91）と熱交換室部（93）と空気チャンバ部（94）という別々のユニットによって構成し、それらが組み合わされて一体の装置になるようにしたので、調湿装置（10）を設置する際には、設置場所にユニット毎に搬入することができ、搬入口やエレベータなどの大きさに制限を受けることなく、容易に搬入作業を行うことができる。
【００９１】
−実施形態１の変形例１−
上記実施形態では、ファン（25，26）を、その吸込口（25a，26a）がケーシング（11）の前後方向を向くように、すなわち、ケーシング（11）前方から見て横向きになるように立設しているが、図１３に示すように、吸込口（25a，26a）がケーシング（11）の上下方向を向くように、すなわちケーシング（11）前方から見て横に寝かせた状態で配設するようにしてもよい。
【００９２】
こうすることで、ファン（25，26）は、安定してケーシング（11）内に配置され、ファンの回転によって生じる振動を低減することができる。
【００９３】
−実施形態１の変形例２−
上記実施形態では、フィルタ（81，82）を第１流入路（43）及び第２流入路（45）内にそれぞれ配設しているが、図１４に示すように、熱交換室（41，42）内に配設するようにしてもよい。この場合には、第１熱交換器（61）の前面及び背面にそれぞれ沿うように第１熱交換器前面フィルタ（83）及び第１熱交換器背面フィルタ（84）を配設するとともに、第２熱交換器（62）の前面及び背面にそれぞれ沿うように第２熱交換器前面フィルタ（85）及び第２熱交換器背面フィルタ（86）を配設する。
【００９４】
上述のような構成にすることで、各フィルタ（83，84，85，86）の通風面積が大きくなり、該各フィルタ（83，84，85，86）を空気が通過する際の圧損を小さくすることができるため、調湿装置（10）内の通風抵抗を小さくすることができる。
【００９５】
なお、上述の構成に限らず、室外空気（OA）が通過する側（本実施形態では、熱交換器（61，62）の背面側）にのみ、フィルタ（84，86）を設けるようにしてもよい。そして、このように室外空気（OA）が通過する側にのみフィルタを設けるようにした場合、特に図示はしないが、本実施形態における室外空気吸込口（21）と室内空気吸込口（22）とを逆にして、室外空気（OA）が熱交換器（61，62）を前から後に向かって通過するようにすれば、フィルタ（83，85）を熱交換器（61，62）に対して前側に配置することができ、ケーシング（11）前側から容易にメンテナンスできるようになる。
【００９６】
−実施形態１の変形例３−
上記実施形態では、圧縮機（63）をケーシング（11）の下部空間（18）内に配設するようにしているが、図２４及び図２５に示すように、ケーシング（11）の外に配置してもよい。この場合、圧縮機（63）は、図２４に示すように、冷媒回路（60）の四方切換弁（64）とともに、図２５に示すような圧縮機ケーシング（66）内に配置される。なお、図２５では四方切換弁（64）の記載は省略している。
【００９７】
この圧縮機ケーシング（66）は、箱状の金属製ケーシング（67）の内面にウレタン樹脂等の遮音材（68）が配設されたもので、その内部空間（69）が外部から遮断された密閉状の容器になっている。
【００９８】
そして、圧縮機（63）は、圧縮機ケーシング（66）の内部空間（69）内に配置された状態で、屋外に配置される。
【００９９】
このように、圧縮機（63）を調湿装置（10）の本体とは別置きにすることで、調湿装置（10）本体から生じる騒音を低減することができる。しかも、圧縮機（63）は、密閉された圧縮機ケーシング（66）内に配置されるため、圧縮機（63）から発生する音を効果的に遮音することができる。さらに、騒音源である圧縮機（63）を屋外に設置するか、屋内の機械室に配置することで、調湿装置（10）の設置される屋内での騒音を効率よく低減することができる。
【０１００】
なお、この実施形態では、圧縮機ケーシング（66）内に圧縮機（63）及び四方切換弁（64）を配置するようにしているが、これに限らず、圧縮機（63）のみを配置するようにしてもよいし、冷媒回路（60）の電動膨張弁（65）も一緒に配置するようにしてもよい。
【０１０１】
（実施形態２）
本発明の実施形態２は、図１５に示すように、上記実施形態１の調湿装置（10）において、ケーシング（11）内の熱交換器（61，62）の配置を変更したものである。なお、図１５（Ｂ）は、調湿装置（10）の正面図であり、冷媒回路（60）、給気用ファン（25）及び排気用ファン（26）については上記実施形態１と同一のため、同一符号を付し、実施形態１と異なる点について以下で詳しく説明する。
【０１０２】
本実施形態のケーシング（111）は、図１５に示すように、正面視が概ね正方形状で扁平な箱型に形成されていて、その上面板（112）には、左側面板（114）寄りに室内空気吸込口（122）が形成される一方、右側面板（115）寄りには室外空気吸込口（121）が形成されている。また、ケーシング（111）の左側面板（114）及び右側面板（115）には、それぞれ、その底面板（113）寄りに給気吹出口（124）及び排気吹出口（123）が形成されている。
【０１０３】
上記ケーシング（111）の内部は、第１仕切板（131）によって上下に仕切られていて、その下側の空間が下部空間（118）を、上側の空間が上部空間（117）を、それぞれ構成している。そして、下部空間（118）内には、その空間（118）を左右２つの空間に仕切るように第７仕切板（137）が設けられていて、その左側の空間には給気ファン（25）が配設される一方、右側の空間には排気ファン（26）及び冷媒回路（60）の圧縮機（63）が配設されている。すなわち、圧縮機（63）は、ケーシング（111）前方から見て２つのファン（25，26）の間に位置するように配置されている。給気ファン（25）及び排気ファン（26）は厚み方向の寸法よりも径方向の寸法が大きく形成されたシロッコファンであり、その回転軸方向に開口する吸込口（25a，26a）が、ケーシング（111）後方に向かって開口するように配置されている。そして、上記排気ファン（26）は排気吹出口（123）に、給気ファン（25）は給気吹出口（124）にそれぞれ接続されている。
【０１０４】
なお、本実施形態では、排気ファン（26）及び給気ファン（25）として、シロッコファンを用いているが、この限りではなく、幅方向の寸法よりも径方向の寸法の方が大きい多翼ファンであればどのようなファンを用いても良い。また、図１５には図示しないが、上記下部空間内（118）には、冷媒回路（60）の電動膨張弁（65）や四方切換弁（64）も配置されている。
【０１０５】
上記ケーシング（111）の上部空間（117）には、第２仕切板（132）と第３仕切板（133）と第６仕切板（136）とが設けられている。第２仕切板（132）は左側面板（114）寄りに設けられていて、第３仕切板（133）は右側面板（115）寄りに設けられている。そして、上部空間（117）は、第２仕切板（132）及び第３仕切板（133）により、左右方向に３つの空間に仕切られている。
【０１０６】
第６仕切板（136）は、第２仕切板（132）と第３仕切板（133）とに挟まれた空間を上下に仕切るように上下方向の略中央に設けられている。このうち、下側の空間は、第１熱交換室（141）を構成しており、その内部に第１熱交換器（61）が配置されている。一方、上側の空間は、第２熱交換室（142）を構成しており、その内部に第２熱交換器（62）が配置されている。
【０１０７】
各熱交換器（61,62）は、上記実施形態１と同様に、全体として厚肉の略直方体形状に形成されていて、ケーシング（111）の前後方向に空気が通過するとともに、長手方向がケーシング（111）の左右方向になるように上下に並んで各熱交換室（141，142）内に配置されている。尚、第１，第２熱交換器（61,62）の詳細については上記実施形態１と同様のため、説明を省略する。
【０１０８】
上記第１空間（117）のうち第３仕切板（133）とケーシング（111）の右側面板（115）とに挟まれた空間内には、第５仕切板（135）が設けられている。この第５仕切板（135）は、空間の奥行き方向の中央部を縦断するように設けられいて、この空間を前後に仕切っている（図１５(Ｃ)を参照）。そして、第５仕切板（135）の前側の空間が第１流入路（143）を構成し、その後側の空間が第１流出路（144）を構成している。また、第１流入路（143）は室外空気吸込口（121）に連通し、第１流出路（144）は排気ファン（26）を介して排気吹出口（123）に連通している。
【０１０９】
一方、上記第１空間（117）のうち第２仕切板（132）とケーシング（111）の左側面板（114）とに挟まれた空間内には、第４仕切板（134）が設けられている。この第４仕切板（134）は、空間の奥行き方向の中央部を縦断するように設けられ、この空間を前後に仕切っている（図１５(Ａ)を参照）。そして、第４仕切板（134）の前側の空間が第２流入路（145）を構成し、その後側の空間が第２流出路（146）を構成している。また、第２流入路（145）は室内空気吸込口（122）に連通し、第２流出路（146）は給気ファン（25）を介して給気吹出口（124）に連通している。
【０１１０】
詳しくは後述するが、上記実施形態１と同様、この第１流入路（143）及び第２流入路（145）は、それぞれ、室内空気吸込口（122）及び室外空気吸込口（121）から送り込まれる室内外の空気を第１熱交換室（141）及び第２熱交換室（142）に導入する流入空気チャンバになっている。
【０１１１】
そして、上記第１流入路（143）及び第２流入路（145）内には、図１５及び１６に示すように、それぞれ、室外及び室内からの砂塵等を集塵するための第１フィルタ（181）及び第２フィルタ（182）が配設されている。このように、室外及び室内の空気をそれぞれ第１及び第２熱交換室（141，142）に導入するための第１及び第２流入路（143，145）内にフィルタ（181，182）を配設することで、室外及び室内からの砂塵等を効率良く除去することができ、第１及び第２熱交換器（61，62）を確実に保護することができる。
【０１１２】
なお、図１５及び図１７〜図２０における（Ａ）図は、開口（151,…,155,…）の構造について説明するために上記第２フィルタ（182）を外した状態を示している。
【０１１３】
上記第３仕切板（133）には、４つの開口（151,152,153,154）が形成されている（図１５(Ｃ)を参照）。第３仕切板（133）の右下部に形成された第１開口（151）は、第１熱交換室（141）における第１熱交換器（61）の前側を第１流入路（143）と連通させている。第３仕切板（133）の右上部に形成された第２開口（152）は、第２熱交換室（142）における第２熱交換器（62）の前側を第１流入路（143）と連通させている。第３仕切板（133）の左下部に形成された第３開口（153）は、第１熱交換室（141）における第１熱交換器（61）の後側を第１流出路（144）と連通させている。第３仕切板（133）の左上部に形成された第４開口（154）は、第２熱交換室（142）における第２熱交換器（62）の後側を第１流出路（144）と連通させている。
【０１１４】
第２仕切板（132）にも、４つの開口（155,156,157,158）が形成されている（図１５(Ａ)を参照）。第２仕切板（132）の右下部に形成された第５開口（155）は、第１熱交換室（141）における第１熱交換器（61）の前側を第２流入路（145）と連通させている。第２仕切板（132）の右上部に形成された第６開口（156）は、第２熱交換室（142）における第２熱交換器（62）の前側を第２流入路（145）と連通させている。第２仕切板（132）の左下部に形成された第７開口（157）は、第１熱交換室（141）における第１熱交換器（61）の後側を第２流出路（146）と連通させている。第２仕切板（132）の左上部に形成された第８開口（158）は、第２熱交換室（142）における第２熱交換器（62）の後側を第２流出路（146）と連通させている。
【０１１５】
上記第３仕切板（133）の各開口（151,152,153,154）、及び第２仕切板（132）の各開口（155,156,157,158）は、上記実施形態１と同様に、それぞれが開閉自在のダンパを備えていて、ダンパを開閉することによって開口状態と閉鎖状態とに切り換わるようになっている。そして、各開口（151,…,155,…）に設けられたダンパは、ケーシング（111）内での第１空気及び第２空気の流通経路を切り換える切換機構を構成している。
【０１１６】
ところで、上記実施形態１と同様に、上述のような構成を有する床置き型の調湿装置（10）の場合には、装置全体が大型化するため、スムーズに搬入作業を行えない可能性がある。そのため、図２１に示すように、調湿装置（10）全体を分割可能な構造にするのが好ましい。
【０１１７】
具体的には、調湿装置１０は、ケーシング（111）の内部を上下に区画する第１仕切板（131）で上下に分割されて、ファン等の収納される下部空間（118）を形成する機械室部（191）と、熱交換器（61，62）の収容される上部空間（117）を形成する本体部（192）とに分けられているとともに、この本体部（192）がさらに第２仕切板（132）及び第３仕切板（133）で左右方向に３つに分割されていて、熱交換室（141，142）を形成する熱交換室部（193）と該熱交換室部（193）の左右にそれぞれ位置する左側空気チャンバ部（194）及び右側空気チャンバ部（195）とに分けられている。
【０１１８】
より詳しくは、ケーシング（111）は、その左側面板（114）及び右側面板（115）が第１仕切板（131）で上下２つに分割されているとともに、その上側部分は、第２仕切板（132）及び第３仕切板（133）で左右方向に３つに分割されている。
【０１１９】
そして、第１仕切板（131）によって上下２つに分割されたケーシング（111）の下側部分に、圧縮機（63）、給気用ファン（25）及び排気用ファン（26）が配置された状態でユニット化されたものが機械室部（191）である。また、第２仕切板（132）及び第３仕切板（133）によって左右方向に３つに分割されたケーシング（111）の上側部分のうち、内部に熱交換室（141，142）が区画形成される中央部分に、熱交換器（61，62）が収納された状態でユニット化されたものが熱交換室部（193）である。なお、この熱交換室部（193）には、第２仕切板（132）及び第３仕切板（133）に形成された各開口（51,…,55,…）の開閉状態を切り換えるダンパも含まれている。
【０１２０】
また、ケーシング（111）の上側部分のうち、上記熱交換室部（193）の左側に位置する部分に、第４仕切板（134）及び第１フィルタ（181）が収納された状態でユニット化されたものが左側空気チャンバ部（194）であり、上記熱交換室部（193）の右側に位置する部分に、第５仕切板（135）及び第２フィルタ（182）が収納された状態でユニット化されたものが右側空気チャンバ部（195）である。
【０１２１】
そして、上述のように構成される４つのユニット（機械室部（191）、熱交換室部（193）、空気チャンバ部（194，195））は、ボルト締結等で容易に組み立てることができるようになっていて、別々に設置スペースに搬入された後、組み立てられて一体の調湿装置（10）となる。これにより、エレベータ等の大きさに規制されることなく、搬入作業を容易に行うことができる。
【０１２２】
なお、ケーシング（111）内に配置される冷媒回路（60）の構成については、上記実施形態１のものと同様なので説明を省略する。
【０１２３】
−調湿装置の調湿動作−
上記調湿装置（10）の調湿動作について説明する。なお、本実施形態の調湿動作については、上記実施形態１のものと空気の流れが異なるだけであり、それ以外は同じ動作をするため、冷凍サイクル動作等の説明ついては省略する。
【０１２４】
《換気除湿運転》
上記実施形態１と同様に、調湿装置（10）は、室外空気（OA）を第１空気として取り込んで室内に供給する一方、室内空気（RA）を第２空気として取り込んで室外に排出する。
【０１２５】
まず、換気除湿運転時の第１動作について、図３及び図１７を参照しながら説明する。この第１動作では、第１熱交換器（61）において吸着材の再生が行われ、第２熱交換器（62）において第１空気である室外空気（OA）の除湿が行われる。この際、冷媒回路（60）では、四方切換弁（64）が図３(Ａ)に示す状態に切り換えられて、第１熱交換器（61）が凝縮器となって第２熱交換器（62）が蒸発器となる第１冷凍サイクル動作が行われる。
【０１２６】
そして、この第１動作時において、切換機構を構成する各開口（151,…,155,…）のダンパは、換気除湿運転時の第１流通状態に設定される。これにより、第２開口（152）と第３開口（153）と第５開口（155）と第８開口（158）とが開口状態になり、第１開口（151）と第４開口（154）と第６開口（156）と第７開口（157）とが閉鎖状態になる。そして、図４に示すように、第１熱交換器（61）へ第２空気としての室内空気（RA）が供給され、第２熱交換器（62）へ第１空気としての室外空気（OA）が供給される。
【０１２７】
具体的に、室内空気吸込口（122）より流入した第２空気は、第２流入路（145）から第５開口（155）を通って第１熱交換室（141）へ送り込まれる。第１熱交換室（141）では、第２空気が第１熱交換器（61）を前から後へ向かって通過してゆく。第１熱交換器（61）では、外表面に担持された吸着材が冷媒により加熱され、この吸着材から水分が脱離する。吸着材から脱離した水分は、第１熱交換器（61）を通過する第２空気に付与される。第１熱交換器（61）で水分を付与された第２空気は、第１熱交換室（141）から第３開口（153）を通って第１流出路（144）へ流出する。その後、第２空気は、排気ファン（26）へ吸い込まれ、排気吹出口（123）から排出空気（EA）として室外へ排出される。
【０１２８】
一方、室外空気吸込口（121）より流入した第１空気は、第１流入路（143）から第２開口（152）を通って第２熱交換室（142）へ送り込まれる。第２熱交換室（142）では、第１空気が第２熱交換器（62）を前から後へ向かって通過してゆく。第２熱交換器（62）では、その表面に担持された吸着材に第１空気中の水分が吸着される。その際に生じる吸着熱は、冷媒が吸熱する。第２熱交換器（62）で除湿された第１空気は、第２熱交換室（142）から第８開口（158）を通って第２流出路（146）へ流出する。その後、第１空気は、給気ファン（25）へ吸い込まれ、給気吹出口（124）から供給空気（SA）として室内へ供給される。
【０１２９】
次に、換気除湿運転時の第２動作について、図３及び図１８を参照しながら説明する。この第２動作では、第２熱交換器（62）において吸着材の再生が行われ、第１熱交換器（61）において第１空気である室外空気（OA）の除湿が行われる。この第２動作時において、冷媒回路（60）では、四方切換弁（64）が図３(Ｂ)に示す状態に切り換えられて、第１熱交換器（61）が蒸発器となって第２熱交換器（62）が凝縮器となる第２冷凍サイクル動作が行われる。
【０１３０】
そして、この第２動作時において、切換機構を構成する各開口（151,…,155,…）のダンパは、換気除湿運転時の第２流通状態に設定される。これにより、第１開口（151）と第４開口（154）と第６開口（156）と第７開口（157）とが開口状態となり、第２開口（152）と第３開口（153）と第５開口（155）と第８開口（158）とが閉鎖状態となる。そして、図１８に示すように、第１熱交換器（61）へ第１空気としての室外空気（OA）が供給され、第２熱交換器（62）へ第２空気としての室内空気（RA）が供給される。
【０１３１】
具体的に、室内空気吸込口（122）より流入した第２空気は、第２流入路（145）から第６開口（156）を通って第２熱交換室（142）へ送り込まれる。第２熱交換室（142）では、第２空気が第２熱交換器（62）を前から後へ向かって通過してゆく。第２熱交換器（62）では、外表面に担持された吸着材が冷媒により加熱され、この吸着材から水分が脱離する。吸着材から脱離した水分は、第２熱交換器（62）を通過する第２空気に付与される。第２熱交換器（62）で水分を付与された第２空気は、第２熱交換室（142）から第４開口（154）を通って第１流出路（144）へ流出する。その後、第２空気は、排気ファン（26）へ吸い込まれ、排気吹出口（123）から排出空気（EA）として室外へ排出される。
【０１３２】
一方、室外空気吸込口（121）より流入した第１空気は、第１流入路（143）から第１開口（151）を通って第１熱交換室（141）へ送り込まれる。第１熱交換室（141）では、第１空気が第１熱交換器（61）を前から後へ向かって通過してゆく。第１熱交換器（61）では、その表面に担持された吸着材に第１空気中の水分が吸着される。その際に生じる吸着熱は、冷媒が吸熱する。第１熱交換器（61）で除湿された第１空気は、第１熱交換室（141）から第７開口（157）を通って第２流出路（146）へ流出する。その後、第１空気は、給気ファン（25）へ吸い込まれ、給気吹出口（124）から供給空気（SA）として室内へ供給される。
【０１３３】
《換気加湿運転》
上記実施形態１と同様、この換気加湿運転では、調湿装置（10）が、室内空気（RA）を除湿される第１空気として取り込んで室外に排出する一方、室外空気（OA）を加湿される第２空気として取り込んで室内に供給する。
【０１３４】
この換気加湿運転時の第１動作では、図１９に示すように、第１熱交換器（61）において第２空気である室外空気（OA）の加湿が行われ、第２熱交換器（62）において第１空気である室内空気（RA）から水分の回収が行われる。
【０１３５】
具体的には、この第１動作時において、冷媒回路（60）では、上記換気除湿運転時の第１動作と同様に、四方切換弁（64）が図３(Ａ)に示す状態に切り換えられて、第１熱交換器（61）が凝縮器となって第２熱交換器（62）が蒸発器となる第１冷凍サイクル動作が行われる。
【０１３６】
そして、この場合の空気の流れは、凝縮器である第１熱交換器（61）に室外空気（OA）を通過させる一方、蒸発器である第２熱交換器（62）に室内空気（RA）を通過させる、という上記換気除湿運転時における第２動作の第２流通状態に設定されている。
【０１３７】
次に、換気加湿運転時の第２動作では、図２０に示すように、第２熱交換器（62）において第２空気である室外空気（OA）の加湿が行われ、第１熱交換器（61）において第１空気である室内空気（RA）から水分の回収が行われる。
【０１３８】
具体的には、この第２動作時において、冷媒回路（60）では、上記換気除湿運転時の第２動作と同様に、四方切換弁（64）が図３(Ｂ)に示す状態に切り換えられて、第１熱交換器（61）が蒸発器となって第２熱交換器（62）が凝縮器となる第２冷凍サイクル動作が行われる。
【０１３９】
そして、この場合の空気の流れは、蒸発器である第１熱交換器（61）に室内空気（RA）を通過させる一方、凝縮器である第２熱交換器（62）に室外空気（OA）を通過させる、という上記換気除湿運転時における第１動作の第１流通状態に設定されている。
【０１４０】
−実施形態２の効果−
上述のように、本実施形態によれば、ケーシング（111）の内部を上下に区画して、その上部空間（117）内に熱交換器（61，62）を配置し、下部空間（118）内にファン（25，26）及び圧縮機（63）を配置することで、床置き型の調湿装置（10）を実現することができるとともに、略直方体形状の熱交換器（61，62）をケーシング（111）前後方向に空気が流れるように立設するとともに、その長手方向がケーシング（111）の左右方向となるように配置することで、調湿装置（10）の奥行き寸法及び高さ寸法が小さくなり、装置全体をコンパクトにすることができる。
【０１４１】
また、実施形態１と同様に、圧縮機（63）が下部空間（118）内の２つのファン（25，26）の間に位置するように圧縮機（63）及びファン（25，26）を配置することで、下部空間（18）内のスペースを有効利用してよりコンパクトに圧縮機（63）を配置することができ、装置全体のコンパクト化を図ることができる。
【０１４２】
さらに、調湿装置（10）を、機械室部（191）と熱交換室部（193）と空気チャンバ部（194，195）という４つのユニットによって構成し、それらが組み合わされて一体の装置になるようにしたので、調湿装置（10）設置の際の搬入作業が容易になる。
【０１４３】
−実施形態２の変形例１−
上記実施形態では、ファン（25，26）の吸込口（25a，26a）がケーシング（111）の前後方向を向くように、すなわち、ケーシング（111）前方から見て横向きになるようにファン（25，26）を立設しているが、上記実施形態１と同様、図２２に示すように、吸込口（25a，26a）がケーシング（111）の上下方向を向くように、すなわちケーシング（111）前方から見て横に寝かせた状態で配置してもよい。
【０１４４】
こうすることで、ファン（25，26）は、安定してケーシング（111）内に配置されるため、ファン（25，26）の回転によって生じる振動を低く抑えることができる。
【０１４５】
−実施形態２の変形例２−
上記実施形態では、フィルタ（181，182）を第１流入路（143）及び第２流入路（144）にそれぞれ配設しているが、上記実施形態１と同様、熱交換室（141，142）内に配設するようにしてもよい。この場合には、図２３に示すように、第１熱交換器（61）の前面に沿うように第１熱交換器フィルタ（183）を配設するとともに、第２熱交換器（62）の前面に沿うように第２熱交換器フィルタ（184）を配設すればよい。
【０１４６】
上述のような構成にすることで、フィルタ（183，184）の通風面積が大きくなり、該フィルタ（183，184）を空気が通過する際の圧損を小さくすることができるため、調湿装置（10）内の通風抵抗を小さくすることができる。
【０１４７】
しかも、熱交換器（61，62）の前面側にフィルタ（183，184）を設けることで、ケーシング（111）前方側からフィルタ（183，184）の脱着を容易に行うことができ、清掃等のメンテナンス作業が容易になる。
【０１４８】
−実施形態２の変形例３−
上記実施形態では、圧縮機（63）をケーシング（111）の下部空間（118）内に配設するようにしているが、上記実施形態１と同様に、圧縮機（63）をケーシング（111）とは別置きにして、密閉容器の圧縮機ケーシング（66）内に配置してもよい。
【０１４９】
このように、圧縮機（63）を調湿装置（10）の本体とは別置きにすることで、調湿装置（10）本体から生じる騒音を低減することができる。しかも、圧縮機（63）は、密閉された圧縮機ケーシング（66）内に配置されるため、圧縮機（63）から発生する音を効果的に遮音することができる。さらに、圧縮機（63）を屋外に設置するか、もしくは屋内の機械室に配置することで、調湿総理（10）の設置される屋内での騒音をさらに効果的に低減することができる。
【０１５０】
なお、この実施形態では、圧縮機ケーシング（66）内に圧縮機（63）及び四方切換弁（64）を配置するようにしているが、上記実施形態１と同様、これに限らず、圧縮機（63）のみを配置するようにしてもよいし、冷媒回路（60）の電動膨張弁（65）も一緒に配置するようにしてもよい。
【０１５１】
（その他の実施形態）
本発明の構成は、上記実施形態に限定されるものではなく、それ以外の種々の構成を包含するものである。すなわち、上記実施形態１及び２では、圧縮機（63）を２つのファン（25，26）の間に配置しているが、これに限らず、ケーシング（11，111）の下部空間（18，118）内であれば、どこに配置してもよい。
【０１５２】
また、上記実施形態１では、ケーシング（11）の上面板（12）の該ケーシング（11）前側に室内空気吸込口（22）を、後側に室外空気吸込口（21）をそれぞれ設けるようにしているが、これに限らず、吸込口（21，22）の位置は前後逆であってもよいし、右側面板（14）もしくは左側面板（15）に形成するようにしてもよい。同様に、上記実施形態２においても、室内空気吸込口（122）及び室外空気吸込口（121）が左右逆であってもよい。なお、当然のことながら、室内空気吸込口（12，122）及び室外空気吸込口（21，121）の位置を、上記実施形態１の位置に対して前後逆または上記実施形態２の位置に対して左右逆にすれば、給気吹出口（24，124）及び排気吹出口（23，123）の位置も上記実施形態１及び２に対して逆になる。
【産業上の利用可能性】
【０１５３】
以上説明したように、本発明における調湿装置は、床面上に設置される床置き型の装置に特に有用である。
【図面の簡単な説明】
【０１５４】
【図１】実施形態１における調湿装置の概略構成図（（Ａ）Ｘ−Ｘ線矢視図（Ｂ）正面図（Ｃ）Ｙ−Ｙ矢視図）である。
【図２】図１の（Ａ）Ｐ−Ｐ線矢視図（Ｂ）Ｑ−Ｑ線矢視図を示す断面図である。
【図３】調湿装置の冷媒回路を示す配管系統図である。
【図４】換気除湿運転の第１動作における空気の流れを示す調湿装置の概略構成図（（Ａ）Ｘ−Ｘ線矢視図（Ｂ）正面図（Ｃ）Ｙ−Ｙ矢視図）である。
【図５】換気除湿運転の第１動作における空気の流れを示す調湿装置の概略構成図（（Ａ）Ｐ−Ｐ線矢視図（Ｂ）Ｑ−Ｑ線矢視図）である。
【図６】換気除湿運転の第２動作における空気の流れを示す調湿装置の概略構成図（（Ａ）Ｘ−Ｘ線矢視図（Ｂ）正面図（Ｃ）Ｙ−Ｙ矢視図）である。
【図７】換気除湿運転の第２動作における空気の流れを示す調湿装置の概略構成図（（Ａ）Ｐ−Ｐ線矢視図（Ｂ）Ｑ−Ｑ線矢視図）である。
【図８】換気加湿運転の第１動作における空気の流れを示す調湿装置の概略構成図（（Ａ）Ｘ−Ｘ線矢視図（Ｂ）正面図（Ｃ）Ｙ−Ｙ矢視図）である。
【図９】換気加湿運転の第１動作における空気の流れを示す調湿装置の概略構成図（（Ａ）Ｐ−Ｐ線矢視図（Ｂ）Ｑ−Ｑ線矢視図）である。
【図１０】換気加湿運転の第２動作における空気の流れを示す調湿装置の概略構成図（（Ａ）Ｘ−Ｘ線矢視図（Ｂ）正面図（Ｃ）Ｙ−Ｙ矢視図）である。
【図１１】換気加湿運転の第２動作における空気の流れを示す調湿装置の概略構成図（（Ａ）Ｐ−Ｐ線矢視図（Ｂ）Ｑ−Ｑ線矢視図）である。
【図１２】調湿装置がユニット化された状態を示す図である。
【図１３】ファンを横に寝かせた状態で配置した場合の調湿装置の概略構成図（（Ａ）Ｐ−Ｐ線矢視図（Ｂ）正面図（Ｃ）Ｑ−Ｑ線矢視図）である。
【図１４】フィルタを熱交換器の前面及び背面に沿うように配設した場合の調湿装置の概略構成図（（Ａ）Ｐ−Ｐ線矢視図（Ｂ）正面図（Ｃ）Ｑ−Ｑ線矢視図）である。
【図１５】実施形態２における調湿装置の概略構成図（（Ａ）Ｘ−Ｘ線矢視図（Ｂ）正面図（Ｃ）Ｙ−Ｙ矢視図）である。
【図１６】図１５のＰ−Ｐ線矢視図を示す断面図である。
【図１７】換気除湿運転の第１動作における空気の流れを示す調湿装置の概略構成図（（Ａ）Ｘ−Ｘ線矢視図（Ｂ）正面図（Ｃ）Ｙ−Ｙ矢視図）である。
【図１８】換気除湿運転の第２動作における空気の流れを示す調湿装置の概略構成図（（Ａ）Ｘ−Ｘ線矢視図（Ｂ）正面図（Ｃ）Ｙ−Ｙ矢視図）である。
【図１９】換気加湿運転の第１動作における空気の流れを示す調湿装置の概略構成図（（Ａ）Ｘ−Ｘ線矢視図（Ｂ）正面図（Ｃ）Ｙ−Ｙ矢視図）である。
【図２０】換気加湿運転の第２動作における空気の流れを示す調湿装置の概略構成図（（Ａ）Ｘ−Ｘ線矢視図（Ｂ）正面図（Ｃ）Ｙ−Ｙ矢視図）である。
【図２１】調湿装置がユニット化された状態を示す図である。
【図２２】ファンを横に寝かせた状態で配置した場合の調湿装置の概略構成図（（Ａ）Ｘ−Ｘ線矢視図（Ｂ）正面図（Ｃ）Ｙ−Ｙ矢視図）である。
【図２３】フィルタを熱交換器の前面に沿うように配設した場合の調湿装置の概略構成図（（Ａ）正面図（Ｂ）Ｚ−Ｚ線矢視図）である。
【図２４】圧縮機別置きの場合の調湿装置の冷媒回路の一例を示す配管系統図である。
【図２５】圧縮機が圧縮機ケーシング内に配置されている状態を示す図である。
【符号の説明】
【０１５５】
（10）  調湿装置
（11）  ケーシング
（17）  上部空間
（18）  下部空間
（25）  給気用ファン
（25a）  吸込口
（26）  排気用ファン
（26a）  吸込口
（31）  第１仕切板
（41）  第１熱交換室
（42）  第２熱交換室
（43）  第１流入路（流入空気チャンバ）
（44）  第２流入路（流入空気チャンバ）
（60）  冷媒回路
（61）  第１熱交換器（第１の熱交換器）
（62）  第２熱交換器（第２の熱交換器）
（63）  圧縮機
（66）  圧縮機ケーシング
（81）  第１フィルタ
（82）  第２フィルタ
（83）  第１熱交換器前面フィルタ
（84）  第１熱交換器背面フィルタ
（85）  第２熱交換器前面フィルタ
（86）  第２熱交換器背面フィルタ
（91）  機械室部
（92）  本体部
（93）  熱交換室部
（94）  空気チャンバ部
（183）  第１熱交換器フィルタ
（184）  第２熱交換器フィルタ
【図１】
2005283044.tif 000003
【図２】
2005283044.tif 000004
【図３】
2005283044.tif 000005
【図４】
2005283044.tif 000006
【図５】
2005283044.tif 000007
【図６】
2005283044.tif 000008
【図７】
2005283044.tif 000009
【図８】
2005283044.tif 000010
【図９】
2005283044.tif 000011
【図１０】
2005283044.tif 000012
【図１１】
2005283044.tif 000013
【図１２】
2005283044.tif 000014
【図１３】
2005283044.tif 000015
【図１４】
2005283044.tif 000016
【図１５】
2005283044.tif 000017
【図１６】
2005283044.tif 000018
【図１７】
2005283044.tif 000019
【図１８】
2005283044.tif 000020
【図１９】
2005283044.tif 000021
【図２０】
2005283044.tif 000022
【図２１】
2005283044.tif 000023
【図２２】
2005283044.tif 000024
【図２３】
2005283044.tif 000025
【図２４】
2005283044.tif 000026
【図２５】
2005283044.tif 000027